(57)【要約】【課題】緊急時に箪笥本体から取り出して簡単に持ち運びができ、急いで運んでも収納した物品が飛び出すことを防止できる簡易な構造の引き出しを備えた箪笥を提供すること。【解決手段】箪笥は、箪笥本体に取り出し可能な引き出し３０ａを備えている。引き出し３０ａは、物品１１を収納すると共に一部が開口した箱状の引き出し本体４０と、引き出し本体４０に設けられ開口を開閉する蓋部６０と、蓋部６０及び引き出し本体４０の少なくとも一方に設けられ蓋部６０を引き出し本体４０に保持する保持機構７０、８０と、を備えている。【選択図】図８
0003225456.tif 000002
【実用新案登録請求の範囲】
【請求項１】
箪笥本体に取り出し可能に設けられた引き出しを備えた箪笥であって、
前記引き出しは、物品を収納すると共に一部が開口した箱状の引き出し本体と、前記引き出し本体に設けられ前記開口を開閉する蓋部と、前記蓋部及び前記引き出し本体の少なくとも一方に設けられ前記蓋部を前記引き出し本体に保持する保持機構と、を備えていることを特徴とする箪笥。
【請求項２】
前記保持機構は、前記蓋部を前記引き出し本体にロックするロック手段であり、
前記ロック手段は、前記蓋部又は前記引き出し本体のいずれか一方に移動可能に設けられ前記蓋部を前記引き出し本体に係止する係止部材と、前記蓋部又は前記引き出し本体の他方に設けられ前記係止部材を受ける受け部と、を備えていることを特徴とする請求項１記載の箪笥。
【請求項３】
前記引き出し本体には、前記係止部材を進退可能に支持するロック本体が設けられており、
前記係止部材は、棒状のピンであると共に手の指で支持可能な摘み部を備え、
前記受け部は、前記引き出し本体に設けられていると共に前記係止部材を受ける穴部を備えていることを特徴とする請求項２記載の箪笥。
【請求項４】
前記保持機構は、前記蓋部を押すことで前記蓋部を前記引き出し本体に着脱自在に保持するプッシュラッチであり、
前記プッシュラッチは、前記引き出し本体に設けられたラッチ支持部と、前記ラッチ支持部に進退可能に設けられ押すことで後退位置から解除されて弾性力によって前進するラッチと、前記蓋部に設けられ前記ラッチを受けるラッチ受け部と、を備えていることを特徴とする請求項１〜３のいずれか１項記載の箪笥。
【請求項５】
前記引き出し本体には、手で握って持つことが可能な取っ手が設けられていることを特徴とする請求項１〜４のいずれか１項記載の箪笥。
【請求項６】
前記引き出し本体は、奥側の角にＲ又は面取りの少なくとも一方が形成されていることを特徴とする請求項１〜５のいずれか１項記載の箪笥。
【請求項７】
前記蓋部は、前記引き出し本体の前記開口した面の奥側の一部を常時塞ぐ固定蓋部と、前記固定蓋部にヒンジを介して開閉可能に設けられた回動蓋部と、を備えていることを特徴とする請求項１〜６のいずれか１項記載の箪笥。
【考案の詳細な説明】
【技術分野】
【０００１】
本考案は、箪笥の改良に関し、箪笥本体から取り出し可能な引き出しを備えた箪笥に関するものである。
【背景技術】
【０００２】
従来、収納家具には、いわゆる開き戸、引き戸、棚、戸棚、引き出し、又はそれらを複合的に備えた箪笥がある。このような引き出し等を備えた箪笥として、箪笥本体から引き出しを取り出し可能とした特許文献１に開示される箪笥が知られている。
【０００３】
特許文献１の箪笥は、箪笥本体に戸棚及び複数の引き出しを備えている。引き出しは、箪笥本体から取り出し可能であり、一面が開口した箱状の引き出し本体と、この引き出し本体にヒンジを介して開閉可能に設けられ開口を塞ぐ蓋とを備えている。また、引き出しは、耐火構造にもなっている。引き出し本体及び蓋は、セラミックファイバー等を固めた耐火部材と、この耐火部材の表面を薄く覆う耐熱性アルミニウム合金製の表面部材とからなる。
【０００４】
ところで、火災時には、箪笥の引き出しに収納した写真、紙幣及び印鑑等の貴重品を保護することができれば好ましい。特許文献１の耐火部材からなる引き出しに貴重品を収納することで、火災の際に貴重品を火災から保護し、さらには引き出しを持ち出すことも可能となる。
【０００５】
しかし、耐火部材は、一般的な木製家具の引き出しを構成する板よりも厚く、耐火構造のため特殊な素材なうえに、引き出し本体と蓋との嵌合部分に凹凸が形成されているので、箪笥の引き出しとしては形状が複雑で部品コストも高くなる。また、引き出し本体と蓋との嵌合部分は凹凸が形成されており、引き出し本体に蓋を嵌めただけであるため、火災時に引き出しを持ち出して急いで運ぶ際に蓋が開き易く、貴重品が飛び出る虞がある。
【０００６】
さらには、近年、火災だけではなく、台風の大雨や地震の津波などの災害も多く発生しており、緊急時に、引き出しを簡単に持ち出すことや、引き出しを持って走っても貴重品が飛び出ないことが要求される。
【先行技術文献】
【特許文献】
【０００７】
【特許文献１】特開平８−３２６４２１号公報
【考案の概要】
【考案が解決しようとする課題】
【０００８】
本考案は、緊急時に箪笥本体から取り出して簡単に持ち運びができ、急いで運んでも収納した物品が飛び出すことを防止できる簡易な構造の引き出しを備えた箪笥を提供することを課題とする。
【課題を解決するための手段】
【０００９】
［１］箪笥本体に取り出し可能に設けられた引き出しを備えた箪笥であって、
前記引き出しは、物品を収納すると共に一部が開口した箱状の引き出し本体と、前記引き出し本体に設けられ前記開口を開閉する蓋部と、前記蓋部及び前記引き出し本体の少なくとも一方に設けられ前記蓋部を前記引き出し本体に保持する保持機構と、を備えていることを特徴とする。
【００１０】
かかる構成によれば、引き出しは箪笥本体に引き出し可能に設けられている。引き出しは、一部が開口した箱状の引き出し本体と、開口を開閉する蓋部と、を備えている。緊急時に、物品を収納した状態の引き出しを箪笥本体から取り出して簡単に持ち運ぶことができる。さらに、引き出しは、蓋部及び引き出し本体の少なくとも一方に、蓋部を引き出し本体に保持する保持機構を備えたので、急いで運んで引き出しが大きく揺れても収納した物品が飛び出すことを防止できる。
【００１１】
［２］好ましくは、前記保持機構は、前記蓋部を前記引き出し本体にロックするロック手段であり、
前記ロック手段は、前記蓋部又は前記引き出し本体のいずれか一方に移動可能に設けられ前記蓋部を前記引き出し本体に係止する係止部材と、前記蓋部又は前記引き出し本体の他方に設けられ前記係止部材を受ける受け部と、を備えている。
【００１２】
かかる構成によれば、保持機構は、蓋部を引き出し本体にロックするロック手段である。ロック手段は、蓋部又は引き出し本体のいずれか一方に移動可能に設けられ蓋部を引き出し本体に係止する係止部材と、蓋部又は引き出し本体の他方に設けられ係止部材を受ける受け部とからなるので、簡易な構造にすることができる。さらに、ロック手段により、蓋部を引き出し本体にロックするので、引き出しを持ち出して大きく揺らししても、蓋部が開くことがなく、収納した物品が飛び出すことをより防止することができる。
【００１３】
［３］好ましくは、前記引き出し本体には、前記係止部材を進退可能に支持するロック本体が設けられており、
前記係止部材は、棒状のピンであると共に手の指で支持可能な摘み部を備え、
前記受け部は、前記引き出し本体に設けられていると共に前記係止部材を受ける穴部を備えている。
【００１４】
かかる構成によれば、ロック手段は、棒状のピンが移動可能に設けられたロック本体を蓋部に備え、穴部を有する受け部を引き出し本体に備えただけなので、簡易な構造にすることができる。さらに、摘み部を指で移動させるだけで係止部材が穴部に嵌りロック状態となるので、取扱いを容易にできる。
【００１５】
［４］好ましくは、前記保持機構は、前記蓋部を押すことで前記蓋部を前記引き出し本体に着脱自在に保持するプッシュラッチであり、
前記プッシュラッチは、前記引き出し本体に設けられたラッチ支持部と、前記ラッチ支持部に進退可能に設けられ押すことで後退位置から解除されて弾性力によって前進するラッチと、前記蓋部に設けられ前記ラッチを受けるラッチ受け部と、を備えている。
【００１６】
かかる構成によれば、保持機構は、蓋部を押すことで蓋部を引き出し本体に着脱自在に保持するプッシュラッチである。プッシュラッチは、ラッチ支持部と、ラッチ支持部に進退可能に設けられ押すことで後退位置から解除されて弾性力によって前進するラッチと、蓋部に設けられラッチを受けるラッチ受け部だけからなるので、簡易な構造とすることができる。さらにプッシュラッチは、押すだけで保持状態から解除状態に切替わるので、蓋部を閉じて保持した状態から開けた状態に簡単に切り替えることができる。さらに、プッシュラッチは、保持状態にすることで蓋部を引き出し本体に保持するので、引き出しを持ち出して大きく揺らししても、蓋部が開くことがなく、収納した物品が飛び出すことをより防止することができる。
【００１７】
［５］好ましくは、前記引き出し本体には、手で握って持つことが可能な取っ手が設けられている。
【００１８】
かかる構成によれば、取っ手を手で握って引っ張るだけで、引き出しを箪笥本体から引き出すことができる。さらに、取っ手を手で持つことで、引き出しを鞄のようにぶら下げて簡単に運ぶことができる。
【００１９】
［６］好ましくは、前記引き出し本体は、奥側の角にＲ又は面取りの少なくとも一方が形成されている。
【００２０】
かかる構成によれば、引き出し本体は、奥側の角にＲ又は面取りの少なくとも一方が形成されているので、Ｒ又は面取りで案内して取り外された引き出しを箪笥本体に容易に嵌めることができる。
【００２１】
［７］好ましくは、前記蓋部は、前記引き出し本体の前記開口した面の奥側の一部を常時塞ぐ固定蓋部と、前記固定蓋部にヒンジを介して開閉可能に設けられた回動蓋部と、を備えている。
【００２２】
かかる構成によれば、蓋部は、引き出し本体の開口した面の奥側の一部を常時塞ぐ固定蓋部を備えているので、引き出しを箪笥本体から全部引き出して取り外さなくても、回動蓋部を開けて物品を収納することができる。さらに、引き出しを取り外して持ち運ぶ際は、固定蓋部側を下にすることで、引き出し本体と固定蓋部に囲まれた空間に物品を確実に収納した状態にすることができ、回動蓋部を閉じた状態にすることで揺れによって物品が飛び出すことを防止できる。
【考案の効果】
【００２３】
緊急時に箪笥本体から取り出して簡単に持ち運びができ、急いで運んでも収納した物品が飛び出すことを防止できる簡易な構造の引き出しを備えた箪笥を提供することができる。
【図面の簡単な説明】
【００２４】
【図１】実施例に係る箪笥の正面図である。
【図２】図１の箪笥の斜視図である。
【図３】実施例に係る引き出しの斜視図である。
【図４】実施例に係る蓋部が開いた状態の引き出しの斜視図である。
【図５】実施例の蓋部の底面図である。
【図６】実施例の係止部材を出した状態の引き出しの後方からの斜視図である。
【図７】実施例に係るロック手段の作用図である。
【図８】物品を収納した状態の引き出しの斜視図である。
【図９】比較例に係る鞄と、実施例に係る引き出しの物品を収納した状態の作用図である。
【図１０】比較例に係る引き出しと、実施例に係る引き出しの持ち出した状態の作用図である。
【図１１】別態様の実施例に係る引き出しの斜視図である。
【考案を実施するための形態】
【００２５】
本考案を実施するための形態を添付図に基づいて以下に説明する。
【実施例１】
【００２６】
先ず、本考案の実施例を図面に基づいて説明する。
図１及び図２に示すように、箪笥１０は、枠を構成する箪笥本体２０と、この箪笥本体２０に取り出し可能に設けられた小さい引き出し３０ａ、３０ｂ、３０ｃ、３０ｄ及び大きい引き出し３０ｅ、３０ｆとを備えている。
【００２７】
箪笥本体２０は、木製であり、床に設置された土台２１と、この土台２１の横方向側部から立ち上げられた側板２２、２２及び背板（不図示）と、側板２２、２２に掛け渡された支持板２３、２３、２３、２３と、この支持板２３、２３の中央部に縦に設けられて小さい引き出し３０ａ、３０ｂ、３０ｃ、３０ｄを仕切る仕切り板２４、２４と、この仕切り板２４及び側板２３、２３の上端に設けられた天板２５とを備えている。
【００２８】
引き出し３０ａ、３０ｂ、３０ｃ、３０ｄ、３０ｅ、３０ｆには、取っ手５０が設けられている。
【００２９】
次に引き出し３０ａについて説明する。
図３及び図４に示すように、引き出し３０ａは、外形が略直方体であり、木製の板で形成されている。引き出し３０ａは、物品１１（図８参照）を収納すると共に上面が開口した箱状の引き出し本体４０と、この引き出し本体４０に設けられ開口を開閉する蓋部６０と、この蓋部６０に設けられ蓋部６０を引き出し本体４０に保持する保持機構７０、８０とを備えている。
【００３０】
なお、詳細は後述するが、保持機構７０は、蓋部６０を引き出し本体４０にロックするロック手段である。保持機構８０は、蓋部６０を押すことで蓋部６０を引き出し本体４０に着脱自在に保持するいわゆるプッシュラッチである。
【００３１】
引き出し本体４０は、矩形状の底面板４１と、この底面板４１から立ち上がっている正面板４２と、この正面板４２に接続され底板４１から立ち上がっている側面板４３、４４と、これらの側面板４３、４４に接続され底板４１から立ち上がっている奥面板４５とを備えている。
【００３２】
正面板４２には、取っ手５０が備えられている。取っ手５０は、湾曲形状であり、金属製の材料で形成されている。正面板４２に基礎部５１が設けられ、この基礎部５１に突出するように軸支持部５２、５２が設けられ、これらの軸支持部５２、５２に回動可能に取っ手５０が設けられている。取っ手５０は、手で握って持つことが可能である。
【００３３】
次に蓋部６０について説明する。
図４〜図６に示すように、蓋部６０は、平面視で略矩形状であり、木製の板で形成されている。蓋部６０は、保持機構７０（以下、ロック手段７０という）が配置される上面６１と、蓋部６０を閉じた状態で正面板４２に対向する前面６２と、ロック手段７０の側部が露出する側面６３と、側面６３の反対側の側面６４と、側面６３、６４及び上面６１に連続する背面６５と、保持機構８０（以下、プッシュラッチ８０という）を構成する金属製のラッチ受け部８３が設けられた裏面６６とを備えている。
【００３４】
蓋部６０は、引き出し本体４０の奥面板４５にヒンジ５５、５５を介して正面側が上下方向に開閉可能に設けられている。蓋部６０は、奥側がヒンジ５５、５５で引き出し本体４０に接続され、正面側がロック手段７０及びプッシュラッチ８０で引き出し本体４０に保持されているので、蓋部６０をバランスよく引き出し本体４０に支持することができる。
【００３５】
次にロック手段（保持機構）７０について説明する。
図５〜図７に示すように、ロック手段７０は、蓋部７０に移動可能に設けられ蓋部６０を引き出し本体４０に係止する係止部材７２と、引き出し本体に設けられ係止部材７２を受ける受け部７５とを備えている。
【００３６】
詳細には、ロック手段７０は、蓋部６０に締結部材７４で締結されたロック本体７１と、このロック本体７１に進退可能に設けられた棒状の係止部材７２（以下、ピン７２という）と、このピン７２に一体的に設けられ手の指で支持可能な摘み部７３とを備えている。また、ロック手段７０の受け側は、引き出し本体４０の側面板４３の内側に設けられた受け部７５と、この受け部７５に設けられていると共にピン７２を受ける穴部７６とを備えている。
【００３７】
次にプッシュラッチ（保持機構）８０について説明する。
プッシュラッチ８０は、引き出し本体４０の正面板４２の内側に設けられたラッチ支持部８１と、このラッチ支持部８１に進退可能に設けられ押すことで後退位置から解除されて弾性力によって前進するラッチ８２と、蓋部６１に締結部材８４締結されラッチ８２を受ける金属製のラッチ受け部８３とを備えている。
【００３８】
ラッチ８２の先端には磁石が設けられており、この磁石が金属製のラッチ受け部８３につくことで、蓋部６０が引き出し本体４０に保持される。また、ラッチ８２は、ラッチ支持部８１内に設けられた弾性部材（不図示）によって延び方向（上方）に付勢されており、押すことで後退位置と前進位置が切替わる。
【００３９】
このため、蓋部６０に手を引っ掛けるひっかけ部（例えば、取っ手、溝、穴）を設けることなく、蓋部６０を閉じた状態と開いた状態に切り替えることができる。さらに、蓋部６０が開いた状態から手で蓋部６０を掴み持ち上げることで、ラッチ８２先端の磁石からラッチ受け部８３を引き離し、蓋部６０を大きく開くことができる。これにより、物品１１を引き出し本体４０に容易に出し入れすることができる。
【００４０】
次にロック手段７０の作用について説明する。
図７の（ａ）に示すように、ロック手段７０の摘み部７３を手の指で支持して矢印（１）のように移動させると、ピン（係止部材）７２が矢印（２）のように前進する。これにより、蓋部６０が閉じた状態の場合は、ピン７２が受け部７５の穴部７６に差し込まれて、蓋部６０が引き出し本体４０にロックされた状態（保持状態）となる。
【００４１】
図７の（ｂ）に示すように、ロック手段７０の摘み部７３を手の指で支持して矢印（３）のように移動させると、ピン（係止部材）７２が矢印（４）のように後退してロック本体７１内に収納される。これにより、蓋部６０が閉じた状態の場合は、ピン７２が受け部７５の穴部７６から外れて、蓋部６０が引き出し本体４０に対してロックが解除された状態（非保持状態）となる。蓋部６０のロックを解除することで、蓋部６０を開けることができる。
【００４２】
次に物品１１を収納した状態を説明する。
図８に示すように、引き出し３０ａは、蓋部６０が開いた状態である。引き出し本体４０には、金券、預金通帳及び印鑑等が収納されている。一般的に、木製の箪笥１０（図１参照）には、任意の引き出し３０ａに貴重品等の物品１１を収納する場合がある。なお、実施例では、引き出し３０ａを箪笥本体２０に施錠するための錠前を引き出し３０ａに設けていないが、これに限定されず、引き出し３０ａを箪笥本体２０に施錠するための錠前を引き出し３０ａに設けても差し支えない。
【００４３】
次に比較例のスーツケース１００と実施例の箪笥１０の一般的な状態及び作用について説明する。
図９の（ａ）は比較例に示すスーツケース１００である。比較例のスーツケース１００は、ロック部（錠前）１０１と、取っ手１０２と、キャスター１０３、１０３とを備えている。スーツケース１００は、貴重品を収納して鍵を掛けることができ、鍵を掛けた除隊で、取っ手１０２を手で持って移動することが可能である。しかし、一般的に旅行等の移動時に貴重品をスーツケース１００に入れて移動することはあるが、自宅で日常生活を送っている時に貴重品をスーツケース１００に常時入れておくことはない。
【００４４】
このため、仮に災害等の緊急時に貴重品を持ち運ぶには、箪笥や金庫から貴重品をスーツケース１００に移し替える必要があり、緊急時の差し迫った状況では貴重品を持ち運ぶことが困難となる。また、日常生活の状態で普段からスーツケース１００に貴重品を入れておくと、悪意を持っている者に簡単にスーツケース１００を持っていかれるため、これも現実的ではない。
【００４５】
図９の（ｂ）は実施例に示す箪笥１０であり、引き出し３０ａには貴重品等の物品が収納されている。仮に災害等の緊急時には、人９０が手で取っ手５０を掴んで矢印（５）のように引き出し３０ａを引き出すことで簡単に持ち出すことができる。また、日常生活の状態で、普段から貴重品を任意の引き出し３０ａに収納しておくことがあり、引き出し３０ａに箪笥本体２０に対しての錠前を付けておけば悪意も持っている者に簡単に引き出しを持っていかれることはない。錠前がなくても明らかな盗人でもない限りは引き出し３０ａを持っていくことはない。
【００４６】
このため、箪笥１０の任意の引き出し３０ａに貴重品を入れておくことは好適であり、緊急時に引き出し３０ａを持ち出して避難することが容易となる。
【００４７】
次に比較例の引き出し１１０と実施例の引き出し３０ａの持ち運び時の作用について説明する。
図１０の（ａ）に示すように、比較例の引き出し１１０は、上面が開口した箱状の引き出し本体１１１と、この引き出し本体１１１に設けられた取っ手１１２とを備えている。引き出し１１０には貴重品等の物品１１が入れられている。仮に災害等の緊急時に、引き出し１１０を持ち出すと、引き出し１１０の上方が開口しているので、人９０が両手で抱えるように持って避難しなくてはならず、物品１１が引き出し１１０から飛び出る虞がある。また、災害等の緊急時に、引き出し１１０を両手で抱えると両手が塞がり、避難に支障をきたす虞がある。また、特許文献１の引き出しも、引き出し本体に蓋を嵌めただけであるため、火災時に引き出しを持ち出して急いで運ぶ際に両手で抱える必要があり避難に支障をきたす恐れがあるうえ、急いで運ぶ際に揺れることで蓋が開き易く貴重品が飛び出る虞がある。
【００４８】
図１０の（ｂ）に示すように、実施例の引き出し３０ａは、引き出し３０ａの中に貴重品等の物品１１（図８参照）が収納されている。仮に災害等の緊急時に、引き出し３０ａを持ち出しても、蓋部６０が付いているため物品１１が外に飛び出すことを防止できる。さらに引き出し３０ａは、蓋部６０を引き出し本体４０に保持する保持機構７０、８０（図５、図６参照）を備えているので、人９０が片手で抱えても、蓋部６０が開くことなく簡単に持ち運ぶことができる。
【００４９】
さらに、実施例の引き出し３０ａには、取っ手５０が備えられているため、人９０が片手で取っ手５０を持ち、鞄のように引き出し３０ａをぶら下げて持ち運ぶことができるので、緊急時であっても支障をきたすことなく、迅速に引き出し３０ａを持ち運んで避難することができる。このように引き出し３０ａを手にぶら下げて持ち運んでも、保持機構７０、８０があるので、蓋部６０が開くことがなく、貴重品等の物品１１が飛び出ることを防止できる。
【００５０】
次に別態様の実施例に係る引き出し３０ａについて説明する。
図１１に示すように、引き出し３０ａの蓋部６０は、引き出し本体４０の開口した面の奥側の一部を常時塞ぐ固定蓋部６７と、この固定蓋部６７にヒンジ５５、５５を介して開閉可能に設けられた回動蓋部６９とを備えている。また、引き出し本体４０は、奥側の角に湾曲したＲ４５ａが形成されている。
【００５１】
引き出し本体４０は、奥側の角にＲが形成されているので、湾曲したＲで案内して取り外された引き出し３０ａを箪笥本体２０に容易に嵌めることができる。さらに、蓋部６０は、引き出し本体４０の開口した面の奥側の一部を常時塞ぐ固定蓋部６７を備えているので、引き出し３０ａを箪笥本体２０から全部引き出して取り外さなくても、回動蓋部６９を開けて物品１１を収納することができる。さらに、引き出し３０ａを取り外して持ち運ぶ際は、固定蓋部６７側を下にすることで、引き出し本体４０と固定蓋部６７に囲まれた空間に物品１１を確実に収納した状態にすることができ、回動蓋部６９を閉じた状態にすることで揺れによって物品１１が飛び出すことを防止できる。
【００５２】
以上に示した箪笥１０の作用効果を次に説明する。
引き出し３０ａは箪笥本体２０に引き出し可能に設けられている。引き出し３０ａは、一部が開口した箱状の引き出し本体４０と、開口を開閉する蓋部６０と、を備えている。緊急時に、物品１１を収納した状態の引き出し３０ａを箪笥本体２０から取り出して簡単に持ち運ぶことができる。さらに、引き出し３０ａは、蓋部６０及び引き出し本体４０の少なくとも一方に、蓋部６０を引き出し本体に保持する保持機構７０、８０を備えたので、急いで運んで引き出しが大きく揺れても収納した物品１１が飛び出すことを防止できる。
【００５３】
さらに、保持機構７０は、蓋部６０を引き出し本体４０にロックするロック手段である。ロック手段７０は、蓋部６０又は引き出し本体４０のいずれか一方に移動可能に設けられ蓋部６０を引き出し本体４０に係止する係止部材７２と、蓋部６０又は引き出し本体４０の他方に設けられ係止部材７２を受ける受け部７５とからなるので、簡易な構造にすることができる。さらに、ロック手段７０により、蓋部６０を引き出し本体４０にロックするので、引き出し３０ａを持ち出して大きく揺らししても、蓋部６０が開くことがなく、収納した物品１１が飛び出すことをより防止することができる。
【００５４】
さらに、ロック手段７０は、棒状のピン７２が移動可能に設けられたロック本体７１を蓋部６０に備え、穴部７６を有する受け部７５を引き出し本体４０に備えただけなので、簡易な構造にすることができる。さらに、摘み部７３を指で移動させるだけで係止部材７２が穴部７６に嵌りロック状態となるので、取扱いを容易にできる。
【００５５】
さらに、保持機構８０は、蓋部６０を押すことで蓋部６０を引き出し本体４０に着脱自在に保持するプッシュラッチである。プッシュラッチ８０は、ラッチ支持部８１と、ラッチ支持部８１に進退可能に設けられ押すことで後退位置から解除されて弾性力によって前進するラッチ８２と、蓋部６０に設けられラッチ８２を受けるラッチ受け部８３とだけからなるので、簡易な構造とすることができる。さらにプッシュラッチ８０は、押すだけで保持状態から解除状態に切替わるので、蓋部６０を閉じて保持した状態から開けた状態に簡単に切り替えることができる。さらに、プッシュラッチ８０は、保持状態にすることで蓋部６０を引き出し本体に保持するので、引き出し３０ａを持ち出して大きく揺らししても、蓋部６０が開くことがなく、収納した物品１１が飛び出すことをより防止することができる。
【００５６】
さらに、取っ手５０を手で握って引っ張るだけで、引き出し３０ａを箪笥本体２０から引き出すことができる。さらに、取っ手５０を手で持つことで、引き出し３０ａを鞄のようにぶら下げて簡単に運ぶことができる。なお、取っ手５０は、軸支持部５２を軸に回動する形式だけに限定されず、引き出し本体４０に固定された形式のものであってもよい。
【００５７】
尚、実施例では、蓋部６０を引き出し３０ａに設けたが、これに限定されず、任意の引き出し３０ｂ、３０ｃ、３０ｄ、３０ｅ、３０ｆに設けても差し支えない。
【００５８】
また、実施例では、引き出し本体４０の開口を引き出し本体４０の上面に形成したが、これに限定されず、開口を引き出し本体４０正面や、上面と正面に跨るように形成してもよい。
【００５９】
また、実施例では、ロック手段７０のロック本体７１を蓋部６０に設けたが、これに限定されず、ロック本体７１を引き出し本体４０に設けてもよい。また、実施例では、ロック本体７１を蓋部６０の前面側の右端部に設けたが、これに限定されず、ロック本体７１を蓋部の前後方向中間部、左端部、前端部に設けてもよい。
【００６０】
また、実施例では、ロック手段７０の係止部材７２を棒状のピンとしたが、これに限定されず、移動可能なフックを蓋部６０又は引き出し本体４０のいずれか一方に設け、フックを蓋部６０又は引き出し本体４０のいずれか他方に設けた穴や引っ掛け部に係止する機構としてもよい。さらには、ロック手段７０を、ヒンジ５５部分をロックするヒンジロック機構としてもよい。
【００６１】
また、実施例では、プッシュラッチ機構８０を、磁石を利用するものとしたが、これに限定されず、ラッチ８２を進退することで開閉するカニはさみ部材として、ラッチ受け部８３をカニはさみ部材に挟まれる突起部材としてもよい。さらには、保持機構７０、８０は、蓋部６０を引き出し本体４０に保持できれば、いわゆるクリック機構など機構の形態は問わない。
【００６２】
また、実施例では、引き出し本体４０の奥側の角に湾曲したＲを形成したが、これに限定されず、引き出し本体４０の奥側の角に面取りを形成してもよく、さらには角のままであってもよい。
【００６３】
また、実施例では、箪笥本体２０及び引き出し３０ａの材料を木製としたが、これに限定されず、各部が板状であれば、材料は樹脂製、金属製でもよい。即ち、本発明の作用及び効果を奏する限りにおいて、本発明は、実施例に限定されるものではない。
【産業上の利用可能性】
【００６４】
本考案の箪笥は、箪笥本体に取り出し可能な引き出しを備えた箪笥に好適である。
【符号の説明】
【００６５】
１０…  箪笥
１１…  物品
２０…  箪笥本体
３０ａ〜３０ｆ…  引き出し
４０…  引き出し本体
４５ａ…  Ｒ（面取り）
５０…  取っ手
６０…  蓋部
６７…  固定蓋部
６９…  回動蓋部
７０…  保持機構（ロック手段）
７１…  ロック本体
７２…  係止部材（ピン）
７３…  摘み部
７５…  受け部
７６…  穴部
８０…  保持機構（プッシュラッチ）
８１…ラッチ支持部
８２…ラッチ
８３…ラッチ受け部
【図１】
0003225456.tif 000003
【図２】
0003225456.tif 000004
【図３】
0003225456.tif 000005
【図４】
0003225456.tif 000006
【図５】
0003225456.tif 000007
【図６】
0003225456.tif 000008
【図７】
0003225456.tif 000009
【図８】
0003225456.tif 000010
【図９】
0003225456.tif 000011
【図１０】
0003225456.tif 000012
【図１１】
0003225456.tif 000013